(57)【要約】      （修正有）【課題】  バーコード通行券の不正使用を防止するための技術を提供する。【解決手段】  入口端末２は，入口側有効ＩＤテーブル１２に記述された有効通行券ＩＤのうちからバーコード通行券１１に記述すべき有効通行券ＩＤを選択し，且つ，選択された有効通行券ＩＤを含む入口情報を生成する入口車線制御装置４と，入口情報をバーコードとして印刷することによってバーコード通行券１１を発券するプリンタ５とを含む。出口端末３は，バーコード通行券１１に記述された有効通行券ＩＤを読み取るバーコードリーダ６と，バーコードリーダ６によって読み取られた有効通行券ＩＤと出口側有効ＩＤテーブル１３に記述された有効通行券ＩＤとを使用して，バーコード通行券１１が正規のものであるか否かを判断する出口車線制御装置７とを含む。【選択図】  図１
2005301917.tif 000002
【特許請求の範囲】
【請求項１】
入口料金所に設けられる入口端末と，
出口料金所に設けられる出口端末
とを備え，
前記入口端末は，
有効通行券ＩＤが記述された入口側有効ＩＤテーブルを受け取り，前記入口側有効ＩＤテーブルの前記有効通行券ＩＤのうちからバーコード通行券に記述すべき有効通行券ＩＤを選択し，且つ，選択された前記有効通行券ＩＤを含む入口情報を生成する第１演算装置と，
前記入口情報をバーコードとして印刷することによってバーコード通行券を発券する印刷装置
とを含み，
前記出口端末は，
バーコード通行券に記述された前記有効通行券ＩＤを読み取るバーコードリーダと，
前記入口側有効ＩＤテーブルと同一の内容の出口側有効ＩＤテーブルを受け取り，前記バーコードリーダによって読み取られた前記有効通行券ＩＤと前記出口側有効ＩＤテーブルに記述された前記有効通行券ＩＤとを使用して，前記バーコード通行券が正規のものであるか否かを判断する第２演算装置
とを含み，
前記入口側有効ＩＤテーブルと前記出口側有効ＩＤテーブルとは，逐次に更新される
通行料金収受システム。
【請求項２】
請求項１に記載の通行料金収受システムであって，
前記第２演算装置は，前記バーコード通行券に記述された前記有効通行券ＩＤが最新の前記出口側有効ＩＤテーブルに記述されている場合，前記バーコード通行券が正規のものであると判断し，そうでない場合，前記バーコード通行券に不正があると判断する
通行料金収受システム。
【請求項３】
請求項１に記載の通行料金収受システムであって，
前記第２演算装置は，前記バーコード通行券に記述された前記有効通行券ＩＤが，最新のｎ個（ｎは，２以上の整数）の前記出口側有効ＩＤテーブルに記述されている場合，前記バーコード通行券が正規のものであると判断する
通行料金収受システム。
【請求項４】
請求項１に記載の通行料金収受システムであって，
前記入口側有効ＩＤテーブルに記述されている前記有効通行券ＩＤのそれぞれは，前記バーコード通行券に，一度しか記述されない
通行料金収受システム。
【請求項５】
請求項１に記載の通行料金収受システムであって，
更に，
前記入口側有効ＩＤテーブル及び前記出口側有効ＩＤテーブルを生成し，生成した前記入口側有効ＩＤテーブル及び前記出口側有効ＩＤテーブルを，それぞれ，前記入口端末及び前記出口端末に送信するサーバ
を備えた
通行料金収受システム。
【請求項６】
請求項１に記載の通行料金収受システムであって，
更に，
サーバを備え，
前記入口端末は，前記バーコード通行券に記述した前記入口情報が列挙された発行済み通行券テーブルを生成し，
前記出口端末は，前記バーコード通行券から読み取った前記入口情報が列挙された処理済み通行券テーブルを生成し，
前記サーバは，前記発行済み通行券テーブルと前記処理済み通行券テーブルとに記述された前記入口情報に含まれる前記有効通行券ＩＤを用いて前記バーコード通行券の不正を発見する
通行料金収受システム。
【請求項７】
請求項６に記載の通行料金収受システムであって，
前記サーバは，前記処理済み通行券テーブルに記述された特定有効通行券ＩＤが前記発行済み通行券テーブルに記述されていないとき，前記特定有効通行券ＩＤに対応する前記バーコード通行券が正規のものでないと判断する
通行料金収受システム。
【請求項８】
同一の内容の入口側有効ＩＤテーブル及び出口側有効ＩＤテーブルを，それぞれ，入口端末及び出口端末に供給するステップと，
前記入口端末が，前記入口側有効ＩＤテーブルに記述された有効通行券ＩＤのうちからバーコード通行券に記述すべき有効通行券ＩＤを選択し，選択された前記有効通行券ＩＤを含む入口情報をバーコードとして印刷することにより，バーコード通行券を発券するステップと，
前記出口端末が，バーコード通行券に記述された有効通行券ＩＤを読み取るステップと，
前記出口端末が，読み取られた前記有効通行券ＩＤと前記出口側有効ＩＤテーブルに記述された前記有効通行券ＩＤとを使用して，前記バーコード通行券が正規のものであるか否かを判断するステップと，
前記入口側有効ＩＤテーブルと前記出口側有効ＩＤテーブルとを更新するステップ
とを備える
通行券認証方法。
【発明の詳細な説明】
【技術分野】
【０００１】
本発明は，通行料金収受システム及びそれに使用される通行券認証方法に関し，特に，バーコード通行券を認証する，即ち，バーコード通行券が正規のものであるか否かを判断するための技術に関する。
【背景技術】
【０００２】
有料道路の通行料金の収受は，最も典型的には，磁気通行券を使用して行われる。磁気通行券を使用した通行料金の収受は，通常，以下の手順で行われる。入口料金所では，料金所ＩＤ，収受員ＩＤ，発行日時その他を含む入口情報が磁気通行券の磁気テープに記録され，入口情報が記録された磁気通行券が，有料道路を利用するドライバーに渡される。出口料金所では，入口料金所で渡された磁気通行券の提出が求められる。出口料金所では，磁気通行券に記録された入口情報から当該ユーザが走行した区間が特定され，更には，通行料金が計算される。
【０００３】
磁気通行券を使用した通行料金の収受の課題の一つは，コストの低減である。磁気通行券を使用した通行料金の収受は，磁気通行券を処理するための専用設備が必要である。例えば，入口料金所では，磁気通行券を発行するための通行券発行機が必要であり，出口料金所では，磁気通行券を読み取るための通行券確認機が必要である。これらの専用設備は，汎用的に使用される装置ではないため，そのコストの低減には限界がある。専用設備を必要とする点において，磁気通行券を使用した通行料金の収受は，コストの面からは有利ではない。
【０００４】
この課題を解決する技術の一つが，バーコード通行券の使用である。特許文献１は，バーコード通行券を使用する通行料金収受システムを開示している。当該通行料金収受システムでは，入口料金所にバーコード通行券を印刷するためのサーマルプリンタが設けられる。そのサーマルプリンタにより，入口情報を表すバーコードが通行券に印刷される。出口料金所には，バーコードリーダが設けられ，そのバーコードリーダを用いて，通行券にバーコードとして記述された入口情報が読み取られる。読み取られた入口情報から当該ユーザが走行した区間が特定され，更には，通行料金が計算される。サーマルプリンタ，及びバーコードリーダは，いずれも，汎用的に市販されているものを使用可能であるため，バーコード通行券を使用する通行料金収受システムは，コストの面で有利である。
【０００５】
バーコード通行券は，磁気通行券と同様に，偽造，変造，その他の不正を防止することが重要である。しかし，バーコード通行券は，追加的に情報を記録することができないから，磁気通行券とは異なる不正防止技術を必要とする。このため，バーコード通行券の不正使用を防止するための技術の提供が求められている。
【特許文献１】特開２００１−１１８０９３号公報
【発明の開示】
【発明が解決しようとする課題】
【０００６】
本発明の目的は，バーコード通行券の不正使用を防止するための技術を提供することにある。
【課題を解決するための手段】
【０００７】
上記の目的を達成するために，本発明は，以下に述べられる手段を採用する。その手段に含まれる技術的事項には，［特許請求の範囲］の記載と［発明を実施するための最良の形態］の記載との対応関係を明らかにするために，［発明を実施するための最良の形態］で使用される番号・符号が付加されている。但し，付加された番号・符号は，［特許請求の範囲］に記載されている発明の技術的範囲の解釈に用いてはならない。
【０００８】
本発明による通行料金収受システム（１０）は，入口料金所に設けられる入口端末（２）と，出口料金所に設けられる出口端末（３）とを備えている。入口端末（２）は，有効通行券ＩＤが記述された入口側有効ＩＤテーブル（１２）を受け取り，入口側有効ＩＤテーブル（１２）に記述された有効通行券ＩＤのうちからバーコード通行券（１１）に記述すべき有効通行券ＩＤを選択し，且つ，選択された有効通行券ＩＤを含む入口情報を生成する第１演算装置（４）と，入口情報をバーコードとして印刷することによってバーコード通行券（１１）を発券する印刷装置（５）とを含む。出口端末（３）は，バーコード通行券（１１）に記述された有効通行券ＩＤを読み取るバーコードリーダ（６）と，入口側有効ＩＤテーブル（１２）と同一の内容の出口側有効ＩＤテーブル（１３）を受け取り，バーコードリーダ（６）によって読み取られた有効通行券ＩＤと出口側有効ＩＤテーブル（１３）に記述された有効通行券ＩＤとを使用して，バーコード通行券（１１）が正規のものであるか否かを判断する第２演算装置（７）とを含む。入口側有効ＩＤテーブル（１２）と出口側有効ＩＤテーブル（１３）とは，逐次に更新される。
【０００９】
当該通行料金システム（１０）では，発券の際にバーコード通行券（１１）に有効通行券ＩＤが記述され，該有効通行券ＩＤを用いてバーコード通行券（１１）の認証が行われる。このような認証方法は，追加的に情報を記録することができないバーコード通行券（１１）に適した方法である。加えて，当該通行料金システム（１０）で使用される有効通行券ＩＤは，逐次に更新される入口側有効ＩＤテーブル（１２）のうちから選択されるためにその秘匿性が高い。現に使用されている入口側有効ＩＤテーブル（１２）と出口側有効ＩＤテーブル（１３）の内容が漏洩しない限り，バーコード通行券（１１）の偽造はできない。従って，当該通行料金システム（１０）は，バーコード通行券（１１）の不正を有効に抑制することができる。
【００１０】
一の実施形態では，第２演算装置（７）は，バーコード通行券（１１）に記述された有効通行券ＩＤが最新の出口側有効ＩＤテーブル（１３）に記述されている場合，バーコード通行券（１１）が正規のものであると判断し，そうでない場合，バーコード通行券（１１）に不正があると判断する。
【００１１】
好適な実施形態では，第２演算装置（７）は，バーコード通行券（１１）に記述された有効通行券ＩＤが，最新のｍ個（ｍは，２以上の整数）の出口側有効ＩＤテーブル（１３）に記述されている場合，バーコード通行券（１１）が正規のものであると判断し，そうでない場合，バーコード通行券（１１）に不正があると判断する。この構成は，バーコード通行券（１１）が発券された後，出口端末（３）によって読み取られる前に入口側有効ＩＤテーブル（１２）と出口側有効ＩＤテーブル（１３）とが更新されても，バーコード通行券（１１）を正しく認証することができる。
【００１２】
バーコード通行券（１１）の不正使用を一層に抑制するためには，入口側有効ＩＤテーブル（１２）に記述されている有効通行券ＩＤのそれぞれは，バーコード通行券（１１）に，一度しか記述されないことが好適である。
【００１３】
当該通行料金システム（１０）は，更に，入口側有効ＩＤテーブル（１２）及び出口側有効ＩＤテーブル（１３）を生成し，生成した入口側有効ＩＤテーブル（１２）及び出口側有効ＩＤテーブル（１３）を，それぞれ，入口端末（２）及び出口端末（３）に送信するサーバ（１）を備えることが好適である。
【００１４】
バーコード通行券（１１）の不正使用を一層に確実に発見するためには，当該通行料金収受システム（１０）は，入口端末（２）がバーコード通行券（１１）に記述した入口情報と，出口端末（３）がバーコード通行券（１１）から読み取った入口情報とが対比されることが好適である。この場合，入口端末（２）は，バーコード通行券（１１）に記述した入口情報が列挙された発行済み通行券テーブル（１４）を生成し，出口端末（３）は，前記バーコード通行券（１１）から読み取った入口情報が列挙された処理済み通行券テーブル（１５）を生成する。当該通行料金システム（１０）にはサーバ（１）が用意され，当該サーバ（１）は，発行済み通行券テーブル（１４）と処理済み通行券テーブル（１５）とに記述された有効通行券ＩＤを用いてバーコード通行券（１１）の不正を発見する。具体的には，サーバ（１）は，処理済み通行券テーブル（１５）に記述された特定有効通行券ＩＤが発行済み通行券テーブル（１４）に記述されていないとき，特定有効通行券ＩＤに対応するバーコード通行券（１１）が正規のものでないと判断する。
【００１５】
本発明による通行券認証方法は，
同一の内容の入口側有効ＩＤテーブル（１２）及び出口側有効ＩＤテーブル（１３）を，それぞれ，入口端末（２）及び出口端末（３）に供給するステップと，
入口端末（２）により，入口側有効ＩＤテーブル（１２）に記述された有効通行券ＩＤのうちからバーコード通行券（１１）に記述すべき有効通行券ＩＤを選択し，選択された有効通行券ＩＤを含む入口情報をバーコードとして印刷することにより，バーコード通行券（１１）を発券するステップと，
出口端末（３）により，バーコード通行券（１１）に記述された有効通行券ＩＤを読み取るステップと，
出口端末（３）により，読み取られた有効通行券ＩＤと出口側有効ＩＤテーブル（１３）に記述された有効通行券ＩＤとを使用して，バーコード通行券（１１）が正規のものであるか否かを判断するステップと，
入口側有効ＩＤテーブル（１２）と出口側有効ＩＤテーブル（１３）とを更新するステップ
とを備えている。
【発明の効果】
【００１６】
本発明により，バーコード通行券の不正使用が有効に防止される。
【発明を実施するための最良の形態】
【００１７】
図１は，本発明の実施の一形態の通行料金収受システム１０を示すブロック図である。通行料金収受システム１０は，中央サーバ１と，入口料金所に設けられる入口端末２と，出口料金所に設けられる出口端末３とを備えている。
【００１８】
中央サーバ１は，料金収受の業務に関する様々なデータ処理を行うコンピュータである。中央サーバ１は，通信回線を介して入口端末２及び出口端末３に接続されている。
【００１９】
入口端末２は，入口料金所においてバーコード通行券１１の発行に使用される装置であり，入口車線制御装置４とプリンタ５とから構成されている。入口車線制御装置４は，バーコード通行券１１に書き込まれるべき入口情報の内容を決定する演算装置である。プリンタ５は，その入口情報に対応したバーコードをバーコード通行券１１に印刷するために使用される。バーコード通行券１１に感熱紙が使用される場合には，プリンタ５としては，サーマルプリンタが使用される。バーコード通行券１１への感熱紙の使用は，通行料金の収受にかかるコストを低減する上で好適である。
【００２０】
出口端末３は，出口料金所において通行料金を受け取るために使用される装置であり，バーコードリーダ６と出口車線制御装置７とから構成されている。バーコードリーダ６は，バーコード通行券１１にバーコードとして記述されている入口情報を読み取るために使用される。出口車線制御装置７は，読み取られた入口情報を用いて通行料金を算出する演算装置である。
【００２１】
本実施の形態の通行料金収受システム１０の一つの特徴は，有効通行券ＩＤを入口情報の一部としてバーコード通行券１１に記述し，その有効通行券ＩＤを用いてバーコード通行券１１を認証する，即ち，バーコード通行券１１が正規のものであるか否かを判断することにある。有効通行券ＩＤを用いたバーコード通行券１１の認証及びバーコード通行券１１を用いた通行料金の収受は，以下の手順で行われる。
【００２２】
中央サーバ１は，バーコード通行券１１に記述される候補となる有効通行券ＩＤが記述された有効ＩＤテーブル１２，１３を生成し，それぞれ，入口端末２，出口端末３に供給する。有効ＩＤテーブル１２，１３の内容は同一である，即ち，有効ＩＤテーブル１２，１３に記述される有効通行券ＩＤは同一である。入口端末２に供給された有効ＩＤテーブル１２は，入口車線制御装置４の記憶装置に保存され，出口端末３に供給された有効ＩＤテーブル１３は，出口車線制御装置７の記憶装置に保存される。
【００２３】
入口料金所では，有効通行券ＩＤを含む入口情報が記述されたバーコード通行券１１が発券される。具体的には，入口料金所にドライバー８が到着すると，収受員は，入口端末２に所定の操作を行う。入口端末２に所定の操作がなされると，入口車線制御装置４は，有効ＩＤテーブル１２に記述されている複数の有効通行券ＩＤのうちから一の有効通行券ＩＤを選択し，選択した有効通行券ＩＤを含む入口情報を生成する。入口情報は，有効通行券ＩＤの他に，当該入口料金所の料金所ＩＤ，バーコード通行券１１の発行に従事した収受員の収受員ＩＤ，バーコード通行券１１の発行日時を含む。入口情報が生成されると，プリンタ５は，入口情報に対応したバーコードを所定の用紙に印刷することによってバーコード通行券１１を発行する。
【００２４】
出口料金所では，バーコード通行券１１に記述された有効通行券ＩＤを用いてバーコード通行券１１が正規のものであるか否かが判断され，正規のものである場合には，バーコード通行券１１を用いて通行料金の収受が行われる。具体的には，ドライバー８が出口料金所に到着すると，出口料金所の収受員は，ドライバー８からバーコード通行券１１を受け取り，バーコードリーダ６をバーコード通行券１１に近づける。バーコード通行券１１の接近を認識すると，バーコードリーダ６は，バーコード通行券１１にバーコードとして記述されている入口情報を読み取る。出口車線制御装置７は，バーコードリーダ６が読み取った入口情報を受け取り，入口情報に含まれる有効通行券ＩＤを用いてバーコード通行券１１の認証を行う。出口車線制御装置７は，バーコード通行券１１に記述されている有効通行券ＩＤが，有効ＩＤテーブル１３に記述されている場合には，当該バーコード通行券１１が正規のものであると判断する。バーコード通行券１１の発券に使用される有効ＩＤテーブル１２と，バーコード通行券１１の認証に使用される有効ＩＤテーブル１３の内容は同一であることに留意されたい。一方，バーコード通行券１１に有効通行券ＩＤが記述されていないとき，及びバーコード通行券１１に記述されている有効通行券ＩＤが，有効ＩＤテーブル１３に見出されない場合には，バーコード通行券１１が正規のものでないと判断する。バーコード通行券１１が正規のものでないと判断した場合，出口車線制御装置７は，表示装置（図示されない）にその旨を表示する。
【００２５】
入口端末２，出口端末３に保存される有効ＩＤテーブル１２，１３は，適宜のタイミングで，典型的には，１日毎に更新される。有効ＩＤテーブル１２，１３を更新する時刻が到来すると，中央サーバ１は，新たな有効ＩＤテーブル１２，１３を入口端末２，出口端末３に供給する。入口端末２，出口端末３は，以後，新たに受け取った有効ＩＤテーブル１２，１３を使用して，バーコード通行券１１の発券，及び，バーコード通行券１１の認証を行う。
【００２６】
このような方法の有効性は，入口端末２，出口端末３に現に保存されている有効ＩＤテーブル１２，１３の内容を盗まれない限り，バーコード通行券１１を偽造することができない点にある。有効ＩＤテーブル１２，１３は適宜のタイミングで更新されるから，第３者は，その内容を把握しにくい。加えて，ある一時点で有効ＩＤテーブル１２，１３の内容が盗まれたとしても，有効ＩＤテーブル１２，１３の更新後には，盗まれた内容をバーコード通行券１１の偽造に利用することはできない。このため，有効ＩＤテーブル１２，１３の更新の頻度を適切に決定すれば，実質的に，バーコード通行券１１の偽造を完全に抑制することができる。
【００２７】
バーコード通行券１１の不正使用を一層に確実に発見するためには，中央サーバ１が，出口端末３がバーコード通行券１１から読み取った入口情報を，入口端末２がバーコード通行券１１に書き込む入口情報と対比する処理を行うことが好適である。
【００２８】
入口情報の対比は，具体的には，以下の手順で行われる。入口端末２の入口車線制御装置４は，バーコード通行券１１に記述した入口情報を，順次に発行済み通行券テーブル１４に書き込んで保存する。同様に，出口端末３の出口車線制御装置７は，バーコード通行券１１から読み取った入口情報を，順次に処理済み通行券テーブル１５に書き込んで保存する。入口車線制御装置４及び出口車線制御装置７は，それぞれ，発行済み通行券テーブル１４及び処理済み通行券テーブル１５を，ある所定のタイミングで中央サーバ１に供給する。
【００２９】
中央サーバ１は，処理済み通行券テーブル１５に記述された入口情報と同一の入口情報が，発行済み通行券テーブル１４に記述されているか否かを調べる。この処理では，処理済み通行券テーブル１５の入口情報の有効通行券ＩＤと同一の有効通行券ＩＤが，入口情報の有効通行券ＩＤとして，発行済み通行券テーブル１４に記述されているかが調べられる。処理済み通行券テーブル１５の入口情報と同一の入口情報が，発行済み通行券テーブル１４に記述されていない場合，特に，処理済み通行券テーブル１５の入口情報の有効通行券ＩＤが発行済み通行券テーブル１４の入口情報として記述されていない場合，記述されていない有効通行券ＩＤに対応するバーコード通行券１１の使用が不正であると判断する。
【００３０】
入口情報に有効通行券ＩＤが含まれることは，入口情報の対比によるバーコード通行券１１の不正使用の発見を一層に確実にする点で重要である。偽造されたバーコード通行券１１に正しい有効通行券ＩＤを含む入口情報が記述されることは，入口端末２，出口端末３で現に保存されている有効ＩＤテーブル１２，１３の内容を盗まれない限り発生しがたい。従って，入口情報に有効通行券ＩＤが含まれることは，入口情報の対比によって不正使用を発見することを一層に確実にする。
【００３１】
バーコード通行券１１の不正を一層に抑制するためには，入口端末２は，有効ＩＤテーブル１２に記述されている各有効通行券ＩＤを，当該有効ＩＤテーブル１２が更新されるまでにバーコード通行券１１の発券に一度しか使用しないことが好適である。例えば，有効ＩＤテーブル１２に記述されている一連の有効通行券ＩＤは，バーコード通行券１１の発券の度に順に使用されることが好適である。即ち，有効ＩＤテーブル１２の更新後，最初のバーコード通行券１１の発券では有効ＩＤテーブル１２の先頭に記述されている有効通行券ＩＤが使用され，２番目のバーコード通行券１１の発券では，有効ＩＤテーブル１２の２番目に記述されている有効通行券ＩＤが使用される。続いて行われるバーコード通行券１１の発券でも同様である。
【００３２】
この場合，出口端末３の出口車線制御装置７は，バーコード通行券１１を読み取る毎に，それに記述されている各有効通行券ＩＤが一度使用された旨を有効ＩＤテーブル１３に記録することが好適である。バーコードリーダ６によって読み取ったバーコード通行券１１に記述されている有効通行券ＩＤが，既に一度使用されている有効通行券ＩＤである場合には，出口端末３は，そのバーコード通行券１１が正規のものではないと判断し，その旨を表示装置に表示する。これにより，仮に，発券されたバーコード通行券１１のバーコードから有効通行券ＩＤが盗まれ，その有効通行券ＩＤが再度にバーコード通行券１１に記述されたとしても，バーコード通行券１１の不正使用を発見することができる。
【００３３】
不正を有効に抑制するためには，有効ＩＤテーブル１２，１３は，頻繁に更新されることが好適である。しかし，有効ＩＤテーブル１２，１３の頻繁な更新は，下記のような問題を重大にする可能性がある。有料道路は，通常２４時間営業であるから，有効ＩＤテーブル１２，１３を頻繁に更新することは，あるドライバー８に対して入口料金所においてバーコード通行券１１が発券された後にそのドライバー８が出口料金所に到着する前に有効ＩＤテーブル１２，１３が更新される事態を頻繁に生じさせる可能性がある。かかる事態が生じると，バーコード通行券１１の発券のために入口端末２で使用される有効ＩＤテーブル１２の内容と，バーコード通行券１１の不正の有無の確認のために出口端末３で使用される有効ＩＤテーブル１３の内容とが相違することになる。これは，バーコード通行券１１が正規なものであるにも関わらず，誤って，バーコード通行券１１が正規なものでないと判断されることにつながる。
【００３４】
かかる問題に対処するためには，出口端末３は，（最新の有効ＩＤテーブル１３のみを使用するのではなく）最新のｍ個（ｍは２以上の整数）の有効ＩＤテーブル１３をバーコード通行券１１の認証に使用することが好適である。この場合，出口端末３の出口車線制御装置７には，最新のｍ個（ｍは２以上の整数）の有効ＩＤテーブル１３が保存される。出口車線制御装置７は，バーコード通行券１１に記述されている有効通行券ＩＤが，ｍ個の有効ＩＤテーブル１３のいずれかに記述されている場合には，当該バーコード通行券１１が正規のものであると判断する。
【００３５】
出口車線制御装置７に保存される有効ＩＤテーブル１３の数ｍは，有効ＩＤテーブル１２，１３の更新の頻度に応じて調整される。有効ＩＤテーブル１２，１３が頻繁に更新される場合には，ｍは増大される。有効ＩＤテーブル１２，１３が更新される頻度が小さいときには，ｍは減少される。有効ＩＤテーブル１２，１３の更新が１日に１度であれば，通常，ｍは，２であれば充分である。
【００３６】
図２は，出口端末３において最新のｍ個の有効ＩＤテーブル１３がバーコード通行券１１の認証に使用される好適な実施形態における通行料金収受システム１０の動作を示すダイアグラムである。図２の実施形態では，ｍは２である；即ち，出口車線制御装置７には，最新の２個の有効ＩＤテーブル１３が保存される。図２及び以下の説明では，有効ＩＤテーブル１２，１３のバージョンを示すために，符号に添字が付される。有効ＩＤテーブル１２ｉとは，第ｉバージョンの有効ＩＤテーブル１２のことであり，有効ＩＤテーブル１３ｉとは，第ｉバージョンの有効ＩＤテーブル１３のことである。有効ＩＤテーブル１２ｉ，１３ｉのバージョンは，ｉが大きいほど新しいこと，及び，同一バージョンの有効ＩＤテーブル１２，１３は，同一の内容であることに留意されたい。入口端末２に供給される第ｉバージョンの有効ＩＤテーブル１２ｉは，出口端末３に供給される第ｉバージョンの有効ＩＤテーブル１３ｉと同一の内容である。有効ＩＤテーブルを第ｉバージョンに更新する，とは，有効ＩＤテーブル１２ｉ，１３ｉを，それぞれ入口端末２，出口端末３に供給することを意味している。
【００３７】
初期的に，入口車線制御装置４に第１バージョンの有効ＩＤテーブル１２１が保存され，出口車線制御装置７には，第０バージョン，第１バージョンの有効ＩＤテーブル１３０，１３１が保存されているとする。
【００３８】
ある所定の時刻が到達すると，中央サーバ１は，第２バージョンの有効ＩＤテーブル１２２を入口車線制御装置４に供給し，第２バージョンの有効ＩＤテーブル１３２を出口車線制御装置７に供給する（ステップＳ０１）。入口車線制御装置４は，記憶装置から第１バージョンの有効ＩＤテーブル１２１を削除し，その代りに，第２バージョンの有効ＩＤテーブル１２２を記憶装置に保持する。以後，入口端末２は，有効ＩＤテーブル１２２を用いてバーコード通行券１１の発券を行う。一方，出口車線制御装置７は，記憶装置から第０バージョンの有効ＩＤテーブル１３０を削除し，第２バージョンの有効ＩＤテーブル１３２を記憶装置に保持する；一つ前のバージョン（第１バージョン）の有効ＩＤテーブル１３１は，削除されない。以後，出口端末３は，最新の２つの有効ＩＤテーブル１３１，１３２を用いてバーコード通行券１１の発券を行う。
【００３９】
有効ＩＤテーブルの更新の後にドライバー８が入口料金所に到着すると，入口端末２は，有効ＩＤテーブル１２２に記述されている有効通行券ＩＤを用いて，バーコード通行券１１の発券を行う（ステップＳ０２）。バーコード通行券１１には，第２バージョンの有効ＩＤテーブル１２２に記述されている有効通行券ＩＤの一つが記述されることになる。
【００４０】
当該ドライバー８が出口料金所に到着する前に，有効ＩＤテーブルの更新が行われる時刻になると，中央サーバ１は，第３バージョンの有効ＩＤテーブル１２３を入口車線制御装置４に供給し，第３バージョンの有効ＩＤテーブル１３３を出口車線制御装置７に供給する（ステップＳ０３）。出口車線制御装置７は，記憶装置から第１バージョンの有効ＩＤテーブル１３１を削除し，第３バージョンの有効ＩＤテーブル１３３を記憶装置に保持する；一つ前のバージョン（第２バージョン）の有効ＩＤテーブル１３２は，削除されない。
【００４１】
その後に当該ドライバー８が出口料金所に到着すると，バーコードリーダ６によってバーコード通行券１１の入口情報が読み取られる（ステップＳ０４）。出口車線制御装置７は，読み取られた入口情報の有効通行券ＩＤが，最新の２つの有効ＩＤテーブル１３２，１３３の何れかに記述されているかを判断する。この実施形態では，バーコード通行券１１に有効ＩＤテーブル１２２に記述されている有効通行券ＩＤのうちの一の有効通行券ＩＤが記述されている。従って，出口車線制御装置７は，読み取られた入口情報の有効通行券ＩＤが，有効ＩＤテーブル１３２に記述されており，従って，バーコード通行券１１が正規のものであると判断する。
【００４２】
このように，図２の実施形態では，あるドライバー８に対して入口料金所においてバーコード通行券１１が発券された後，そのドライバー８が出口料金所に到着する前に有効ＩＤテーブル１２，１３が更新されても，バーコード通行券１１を正しく認証することができる。
【００４３】
なお，上述の実施形態において，中央サーバ１から入口端末２，出口端末３への有効ＩＤテーブル１２，１３の供給は，通信回線ではなく，記録媒体を人手で搬送することによって行われることが可能である。記録媒体としては，典型的には，フレキシブルディスクが使用され得る。かかる構成は，通行量が少ない有料道路，即ち，有効ＩＤテーブル１２，１３に多くの有効通行券ＩＤを用意する必要がない有料道路に好適である。
【００４４】
同様に，入口端末２，出口端末３から中央サーバ１への発行済み通行券テーブル１４，処理済み通行券テーブル１５の供給は，フレキシブルディスクのような記録媒体を人手で搬送することによって行われることが可能である。
【図面の簡単な説明】
【００４５】
【図１】図１は，本発明の実施の一形態の通行料金収受システムの構成を示すブロック図である。
【図２】図２は，好適な実施形態における通行料金収受システムの動作を示すダイアグラムである。
【符号の説明】
【００４６】
１：中央サーバ
２：入口端末
３：出口端末
４：入口車線制御装置
５：プリンタ
６：バーコードリーダ
７：出口車線制御装置
８：ドライバー
１０：通行料金収受システム
１１：バーコード通行券
１２，１３：有効ＩＤテーブル
１４：発行済み通行券テーブル
１５：処理済み通行券テーブル
【図１】
2005301917.tif 000003
【図２】
2005301917.tif 000004